(57)【特許請求の範囲】
【請求項１】
リール本体に凸設されたスプール軸に、スプール胴とフランジより形成される断面コの字状の釣り糸受け入れ部分を備えたスプールが着脱自在且つ回転自在に取り付けられると共に、該スプールのフランジに回転自在に取り付けたツマミハンドルと前記スプール軸を中心として対向する位置のスプールにバランサが設けられた片軸受けリールにおいて、前記バランサを、略円筒形状に形成された前記スプール胴の内部空間内に位置するように、該スプール胴の側面内側に取り付けて、前記バランサが前記スプールのフランジから突出して外部に露出しないようにしたことを特徴とする片軸受けリール。
【発明の詳細な説明】
【０００１】
【発明の属する技術分野】
本発明は、魚釣用片軸受けリールに関する。特には、そのスプールに取り付けられるバランサの取り付け構造に関する。
【０００２】
【従来の技術】
今日、フライリールやチヌリールとして魚釣用片軸受けリールが広く知られている。
この種のリールは、例えば、特開２０００−３２８８６号に開示されているように、スプール軸が凸設されたリール本体と、このスプール軸に回転自在に回転自在に取り付けられているスプールとを備えて構成されている。このスプールは一般的に、略円筒形状に形成されたスプール胴と、スプール胴の少なくとも前記リール本体から遠い側の面に設けられたフランジとを有している。そして、そのフランジの所定位置には、スプールに巻きつけられた釣り糸を繰り出し、或いは巻き取るために所定方向へスプールを回転させるためのハンドルが取り付けられている。
また、この種のリールは通常、そのスプールのフランジのスプール軸を中心としてハンドルと対向する位置に、ハンドルの重さとのバランスを取ることでスプールの回転をスムーズにするためのバランサを有している。
【０００３】
ところで、従来の片軸受けリールにおけるバランサは、フランジの本体から遠い側の面に取り付けられている。即ち、バランサは、フランジの外側から突出して、スプールの外部に露出するような状態で取り付けられている。
それ故、従来の片軸受けリールには、以下のような不具合が存在する。
即ち、従来の片軸受けリールでは、スプールの回転を制限するために釣り人が指を添える（一般的に、「サミング」と呼ばれる。）ための部位として機能する上述のフランジからバランサが突出することになるため、サミングを行いづらくなる場合がある。また、フランジから突出するバランサに釣り糸が絡みつく場合があり、釣り人の心理面に悪影響を与える場合も存在する。更に、平面ないし滑らかな面とされることが多い上述のフランジからバランサが突出しているので、釣り糸が拾ってきたゴミや海水等の異物が、バランサやその取り付け位置の周辺に溜まり易く、そこから腐食が生じてしまう場合もある。
【０００４】
【発明が解決しようとする課題】
本発明は、バランサがスプールのフランジから突出して外部に露出することに基づく上述の如き不具合を持たない片軸受けリールを提供することをその課題とする。
【０００５】
【課題を解決するための手段】
上記課題を解決するために、請求項１に係わる本発明は、リール本体に凸設されたスプール軸に、スプール胴とフランジより形成される断面コの字状の釣り糸受け入れ部分を備えたスプールが着脱自在且つ回転自在に取り付けられると共に、該スプールのフランジに回転自在に取り付けたツマミハンドルと前記スプール軸を中心として対向する位置のスプールにバランサが設けられた片軸受けリールにおいて、前記バランサを、略円筒形状に形成された前記スプール胴の内部空間内に位置するように、該スプール胴の側面内側に取り付けて、前記バランサが前記スプールのフランジから突出して外部に露出しないようにしたことを要旨とするものである。
このように、バランサが、略円筒形状に形成のスプール胴の内部空間内に位置するようにすることで、バランサがスプールのフランジから突出して外部に露出することがなくなる。これにより、サミングが行い易くなり、糸絡みも減少し、腐食の問題も生じづらくなり、上述した不具合を解消できるようになる。
【０００６】
本発明におけるバランサは、略円筒形状に形成のスプール胴の内部空間内に位置するように取り付けられていればよい。つまり、バランサの取り付け方や取り付け位置については、かかる条件が満たされている限り、特に制限はない。
例えば、バランサは、スプールのフランジに取り付けられていても良いし、スプールの略円筒形状とされているスプール胴の側面に取り付けられていても良い。
後者の構成を採用すれば、美観の点で優れた片軸受けリールを得ることができる。即ち、スプールのフランジは外部に露出する、リールの顔とも呼べる目立つ部分である。ここで、バランサをこのフランジ以外の部分、即ち、スプール胴の側面に取り付けることとすれば、バランサ取り付けのための構造が、フランジに響くことがなくなるため、フランジの美観を損なうことがない。
【０００７】
【発明の実施の形態】
以下、図面を参照しつつ本発明の第１ないし第３実施形態に係る片軸受けリールの構造ついて説明する。
第１実施形態の説明で図１及び図２を、第２実施形態の説明で図３を、第３実施形態の説明で図４及び図５をそれぞれ参照する。各実施形態の説明で重複する部分には同一の符号を付すこととし、重複説明は省略することとする。
【０００８】
第１実施形態
第１実施形態における片軸受けリールＡは、図１及び図２に示したように、リール本体１００と、このリール本体１００に、着脱自在且つ回転自在に取り付けられたスプール２００とを備えて構成されている。
【０００９】
リール本体１００は、一端側で開口するようにしながら、例えばアルミダイカストにより略円筒形状に形成されており、その中心軸に沿うようにして設けられたスプール軸１０１と、その外側面の所定位置に設けられたリールスタンド１０２とを備えている。スプール軸１０１は、スプール２００を回転自在に取り付けるためのものである。
リールスタンド１０２は、片軸受けリールＡを所定の釣竿に取り付ける際に、釣竿に取り付けられたリールシートに当接固定されるものであり、図２に示すように略Ｔ字形状に形成され、図１に示すように断面略Ｕ字型とされている。
また、本体部の開口縁には、その全周に沿う段差１０４が設けられている。
【００１０】
他方スプール２００は、略円筒形状に形成されたスプール胴Ｄと、スプール胴Ｄのリール本体１００から遠い側に設けられたフランジ２０１と、リール本体に近い側に設けられた第２フランジ２０１Ａとを備えている。スプール胴Ｄと、フランジ２０１及び第２フランジ２０１Ａにより形成された断面略コの字状の部分が、巻き付けられた釣り糸を受け入れる部分となる。スプール２００の中心には、スプール軸１０１の径よりやや大径とされた、スプール軸１０１挿入用の挿入孔２０２が設けられている。スプール２００は、この挿入穴２０２にスプール軸１０１を挿入することで、リール本体１００へ取り付けられている。
フランジ２０１の外縁には、上述の段差１０４と噛み合う溝２０３が設けられている。この溝２０３は、スプール軸１０１を挿入孔２０２に挿入した状態で、段差１０４と噛み合うようになっている。スプール２００は、そのフランジ２０１外縁の溝２０３を上述の段差１０４により案内されることで、リール本体１００に対してスムーズに回転できるようになっている。
２０６は、スプール２００の位置を調節するワッシャーである。
挿入孔２０２のリール本体１００に近い側の開口近傍には、略円筒形の中心部材２０７が取り付けられており、その内部には、着脱スイッチ２０８が取り付けられている。その構造についての詳細な図示及び説明は省略するが、この着脱スイッチ２０８は、それをリール本体１００側へと押圧操作することで、スプール２００をスプール軸１１１から取り外せるようなものとなっている。
【００１１】
フランジ２０１における径方向外側の所定位置には、軸２０９が例えば螺合により取り付けられており、この軸２０９には、ツマミハンドル２１０が回転自在として取り付けられている。ツマミハンドル２１０は、スプール２００を回転させる際に釣り人がこれを摘むものであり、本願発明におけるハンドルに相当するものである。
また、フランジ２０１の内側の、ツマミハンドル２１０とスプール軸１０１を中心として対向する位置には、バランサ２１１が取り付けられている。バランサ２１１は、ハンドルの重さとのバランスを取ることで、スプール２００の回転をスムーズなものとできるような重さにされている。この例のバランサ２１１は、略樽型のバランサ本体２１１Ａと、このバランサ本体２１１Ａの一端側から延設されたバランサ脚２１１Ｂとから構成されており、このバランサ脚２１１Ｂを、フランジ２０１に穿設の取り付け孔２１２に挿入してかしめ加工をすることで、フランジ２０１の内側に取り付けられている。つまり、この片軸受けリールＡのバランサ２１１は、略円筒形状に形成のスプール胴Ｄの内部空間内に位置するようになっている。
【００１２】
第２実施形態
第２実施形態による片軸受けリールＢを図３に示す。この片軸受けリールＢは、第１実施形態による片軸受けリールＡと略同様の構成とされている。
異なるのはバランサ２１１の取り付け位置である。この片軸受けリールＢにおけるバランサ２１１は、そのバランサ脚２１１Ｂを、略円筒形状に形成されたスプール２００の側面に穿設された取り付け孔２１２に挿入しかしめ加工することにより取り付けられている。これにより、この片軸受けリールＢにおけるバランサは、スプール胴Ｄの側面内側に、即ち、スプール胴の内部空間内に位置するようになっている。尚、このバランサ２１１が、ツマミハンドル２１０とスプール軸１０１を中心として対向する位置に取り付けられる点については、第１実施形態の場合と同様である。
【００１３】
第３実施形態
第３実施形態による片軸受けリールＣを図４及び図５に示す。この片軸受けリールＣは、第１実施形態による片軸受けリールＡと略同様の構成とされている。
異なるのはバランサ２１１の形状ないし取り付け位置である。この片軸受けリールＢにおけるバランサ２１１は、例えば、鉛板などにより板状に形成されている。これをスプール２００側面の内面のＲに沿うように曲折して、スプール２００側面の内面に両面テープ２１３を用いて取り付けられている。もっともこの取り付けは、接着剤など他の手法を用いて行っても良い。このようなバランサ２１１を用いれば、取り付け孔２１２穿設の加工が不要になるためコスト的に有利になり、またスプール２００の内側に海水などが浸入して腐食が生じるといった不具合を避けられるようになる。
これにより、この片軸受けリールＢにおけるバランサ２１１は、スプール胴Ｄの側面内側に、即ち、スプール胴Ｄの内部空間内に位置するようになっている。
このバランサ２１１が、ツマミハンドル２１０とスプール軸１０１を中心として対向する位置に取り付けられる点については、第１実施形態の場合と同様である。
尚、このような板状のバランサは、第１実施形態の片軸受けリールＡに応用することもできる。即ち、第１実施形態の片軸受けリールＡでは、そのバランサ２１１に代えて、第３実施形態で説明した如き板状のバランサ２１１を、採用することも可能である。
【００１４】
【発明の効果】
以上説明したように、本発明による片軸受けリールは、そのバランサが、略円筒形状に形成のスプールの内部空間内に位置するようになっているため、そのバランサがスプールのフランジから突出して外部に露出することがない。従って、本発明による片軸受けリールは、サミングが行い易く、糸絡みも少なく、腐食の問題も生じづらいものとなる。
【図面の簡単な説明】
【図１】本発明の第１実施形態による片軸受けリールの断面図。
【図２】図１に示した片軸受けリールの側面図。
【図３】本発明の第２実施形態による片軸受けリールの断面図。
【図４】本発明の第３実施形態による片軸受けリールの断面図。
【図５】図４に示した片軸受けリールの側面図。
【符号の説明】
１００  リール本体
１０１  スプール軸
１０２  リールスタンド
１０３  揺動体
２００  スプール
２０１  フランジ
２０２  挿入孔
２１０  ツマミハンドル
２１１  バランサ
Ｄ  スプール胴
【図１】
0004024478.tif 000002
【図２】
0004024478.tif 000003
【図３】
0004024478.tif 000004
【図４】
0004024478.tif 000005
【図５】
0004024478.tif 000006